(57)【要約】【課題】ユーザ側の事情に応じて、視聴制限の設定を簡単に行えるようにした映像機器を提供する。【解決手段】通常の視聴制限機能に自動視聴制限機能を付加する。自動視聴制限を行う場合は、各視聴者の年齢を入力して記憶部に記憶しておく。番組の再生時に、自動視聴制限と通常視聴制限のいずれが選択されているかを判定し、自動視聴制限が選択されておれば、記憶部に記憶されている年齢を参照し、最低年齢を基準として視聴制限を行う。通常視聴制限が選択されておれば、あらかじめ設定した視聴制限条件に基づいて、従来と同様の視聴制限を行う。【選択図】図１６
2010187202.tif 000002
【特許請求の範囲】
【請求項１】
コンテンツに付加されている視聴制限情報と機器側に設定されている視聴制限情報とに基づいて、当該コンテンツの再生を制限する視聴制限機能を備えた映像機器において、
視聴者の年齢に関する年齢情報を入力するための入力手段と、
前記入力手段により入力された年齢情報を記憶する記憶手段と、
自動視聴制限を行うか通常視聴制限を行うかを選択する選択手段と、
前記選択手段の選択結果に応じて視聴制限を制御する制御手段と、を備え、
前記制御手段は、
前記選択手段により自動視聴制限を行うことが選択された場合は、前記年齢情報を参照して、最低年齢を基準として視聴制限を行い、
前記選択手段により通常視聴制限を行うことが選択された場合は、予め設定された視聴制限条件に基づいて視聴制限を行うことを特徴とする映像機器。
【請求項２】
請求項１に記載の映像機器において、
自動視聴制限の基準となる年齢を、前記最低年齢から他の年齢に変更する変更手段を更に備え、
前記制御手段は、前記変更手段により変更された年齢を基準として視聴制限を行うことを特徴とする映像機器。
【請求項３】
請求項１または請求項２に記載の映像機器において、
前記制御手段は、前記選択手段により自動視聴制限を行うことが選択された場合に、自動視聴制限の基準となる年齢が一定年齢以上であるときは、視聴制限を行わないことを特徴とする映像機器。
【発明の詳細な説明】
【技術分野】
【０００１】
本発明は、テレビジョン受像機などの映像機器に関し、特に、視聴制限機能を備えた映像機器に関する。
【背景技術】
【０００２】
テレビジョン受像機（以下、「テレビ」という）には、暴力シーンや性的描写が含まれている成人向けの番組を子供が視聴するのを防止するため、視聴制限機能を備えたものがある。この視聴制限機能は、番組の放送信号に含まれている視聴制限情報と、テレビ側に予め設定された視聴制限情報とに基づいて、映像と音声の再生を制限する機能である。
【０００３】
例えば、米国においては、１９９６年に制定された電気通信法に基づき、番組のレーティング（視聴制限レベル）を示す情報が放送信号に組み込まれて送信され、放送信号を受信したテレビは、レーティング情報に基づいて視聴制限を行うようになっている。デジタル放送の場合、レーティング情報は、映像データや音声データ等が多重化されたストリーム信号中に挿入されて、放送局から送信される。視聴者側では、子供に見せたくない番組のレーティングを、テレビ画面においてリモコンの操作により設定する。そして、設定されたレーティングに該当する番組が受信されると、テレビ側で映像と音声の再生を禁止するミュート処理が行なわれ、当該番組はブロックがかかって視聴できなくなる。
【０００４】
図１８は、米国におけるTV  Parental  Guidelineに基づくレーティングを設定するためのテレビ画面の一例である。レーティングとして、メインレーティングＲａとサブレーティングＲｂが用意されている。メインレーティングＲａは、視聴制限レベルであり、上に行くほどレベルが高くなっている。ＴＶ−ＭＡ（Mature  audience  only）は成人向けの番組、ＴＶ−１４（Unsuitable  for children  under  14）は１４才未満には不適当な番組、ＴＶ−ＰＧ（Parental  guideline  suggested）は保護者の監督下で視聴するのが望ましい番組、ＴＶ−Ｇ（General  audience）は全ての年齢層にわたって視聴上問題がない番組、ＴＶ−Ｙ７（Appropriate  for  all  children  7  and  older）は７才以上の子供に適した番組、ＴＶ−Ｙ（Appropriate  for  all  children）は全ての子供に適した番組であることを表している。サブレーティングＲｂは、番組中の特定の要素を指定して映像と音声をブロックするためのもので、５つの項目からなる。ＦＶ（Fantasy  Violence）は空想的または喜劇的な暴力、Ｖ（Violence）は暴力、Ｓ（Sexual  Situation）は性的場面、Ｌ（Coarse  Language）は下品な言葉、Ｄ（Suggestive  Dialogue）はみだらな会話が含まれる番組であることを表している。
【０００５】
レーティングの設定は、図１８の視聴制限条件入力画面５ｇにおいて、リモコンによりカーソルＫを操作して視聴制限したい項目を選択し、リモコンの決定ボタンを押すことにより行われる。図中のｍは、視聴制限が設定された項目欄に表示されたロックマークである。
【０００６】
視聴制限機能は、テレビに限らず、ＢＤ（Blu-ray  Disc；登録商標）やＤＶＤ（Digital  Versatile  Disc）等を再生するディスク装置においても採用することができる。下記の特許文献１には、ＤＶＤプレーヤにおける視聴制限の技術が記載されている。ここでは、ＤＶＤプレーヤに使用者全員の名前、生年月日、パスワードを登録しておき、使用者全員がコンテンツを視聴する際に、各自が入力したパスワードが全て正しければ、生年月日に基づいて最低年齢者を決定し、当該最低年齢がコンテンツ上の視聴制限年齢より高ければコンテンツを再生し、低ければコンテンツを再生しないようにしている。
【先行技術文献】
【特許文献】
【０００７】
【特許文献１】特開２０００−３５４２３１号公報
【発明の概要】
【発明が解決しようとする課題】
【０００８】
特許文献１では、年齢を基準として視聴制限を行うため、視聴制限条件を細かく設定することができない。また、パスワードを入力した者のうちから最低年齢者を抽出して視聴制限をするため、基準となる最低年齢は、使用者に応じてその都度変動する。このため、パスワード入力時にその場にいなかった者で、年齢が上記最低年齢より更に低い者が、あとから視聴に参加した場合は、その者に視聴を許してしまうことになる。
【０００９】
図１８に示した画面でレーティングの設定を行う場合は、メインレーティングＲａとサブレーティングＲｂとの組み合わせにより、視聴制限条件を細かく設定することが可能であり、設定された条件に従ってユーザの要求に合った視聴制限を行うことができる。しかし、その一方で設定項目が多岐にわたるため、ユーザ側での操作が大変煩雑なものとなり、条件を細かく設定することを必要としないユーザにとっては、設定に手間と時間がかかるという問題がある。
【００１０】
本発明は、ユーザ側の事情に応じて、視聴制限の設定を簡単に行えるようにした映像機器を提供することを目的としている。
【課題を解決するための手段】
【００１１】
本発明に係る映像機器は、コンテンツに付加されている視聴制限情報と機器側に設定されている視聴制限情報とに基づいて、当該コンテンツの再生を制限する視聴制限機能を備えた映像機器であって、視聴者の年齢に関する年齢情報を入力するための入力手段と、この入力手段により入力された年齢情報を記憶する記憶手段と、自動視聴制限を行うか通常視聴制限を行うかを選択する選択手段と、この選択手段の選択結果に応じて視聴制限を制御する制御手段とを備える。制御手段は、選択手段により自動視聴制限を行うことが選択された場合は、年齢情報を参照して、最低年齢を基準として視聴制限を行い、選択手段により通常視聴制限を行うことが選択された場合は、予め設定された視聴制限条件に基づいて視聴制限を行う。
【００１２】
このようにすると、自動視聴制限が選択された場合は、あらかじめ入力された視聴者の年齢情報に基づき、自動的に最低年齢を基準として視聴制限が行われるので、細かい条件設定を必要としないユーザにとって、視聴制限設定の手間と時間を省くことができる。また、通常視聴制限が選択された場合は、予め設定された視聴制限条件に基づいて従来と同様の視聴制限が行われるので、細かい条件設定を希望するユーザの要求を満たすことができる。
【００１３】
なお、本発明でいうコンテンツには、テレビ番組、光ディスク等の記録媒体に記録されたコンテンツ、インターネットを通じて提供されるコンテンツなど、各種のコンテンツが含まれる。
【００１４】
本発明においては、自動視聴制限の基準となる年齢を、最低年齢から他の年齢に変更する変更手段を更に設け、この変更手段により変更された年齢を基準として視聴制限を行うようにしてもよい。
【００１５】
このようにすると、ユーザにおいて、自動視聴制限の基準となる年齢を、最低年齢ではなく他の年齢に変更することができ、自動視聴制限機能に拡張性を持たせることができる。
【００１６】
また、本発明においては、選択手段により自動視聴制限を行うことが選択された場合に、自動視聴制限の基準となる年齢が一定年齢以上であるときは、視聴制限を行わないようにしてもよい。
【００１７】
このようにすると、自動視聴制限が設定されていても、基準となる最低年齢（あるいは変更後の年齢）が一定年齢以上である場合は、自動的に、視聴制限がかからないようにすることができる。
【発明の効果】
【００１８】
本発明によれば、通常の視聴制限機能に自動視聴制限機能を付加することにより、ユーザ側の事情に応じて、視聴制限の設定を簡単に行うことが可能な映像機器を得ることができる。
【図面の簡単な説明】
【００１９】
【図１】本発明の実施形態に係るデジタルテレビのブロック図である。
【図２】リモコンの操作面を示す図である。
【図３】メニュー画面の例である。
【図４】機器設定画面の例である。
【図５】暗証番号入力画面の例である。
【図６】視聴制限設定画面の例である。
【図７】年齢入力画面の例である。
【図８】自動視聴制限データを示す図である。
【図９】視聴制限設定画面の例である。
【図１０】基準年齢変更画面の例である。
【図１１】基準年齢変更画面の例である。
【図１２】更新後の自動視聴制限データを示す図である。
【図１３】自動視聴制限設定の手順を示すフローチャートである。
【図１４】自動視聴制限変更の手順を示すフローチャートである。
【図１５】通常視聴制限設定の手順を示すフローチャートである。
【図１６】番組再生時の視聴制限の手順を示すフローチャートである。
【図１７】生年月日入力画面の例である。
【図１８】視聴制限条件入力画面の例である。
【発明を実施するための形態】
【００２０】
以下、本発明の実施形態につき、図面を参照しながら説明する。
【００２１】
図１は、映像機器の一例であるデジタルテレビ（以下、単に「テレビ」という）１００のブロック図である。放送局から送信されたデジタル放送信号は、アンテナ１で受信され、チューナ２に入力される。デジタル放送信号は、映像データ、音声データ、ＥＰＧ（電子番組ガイド）データ、レーティング情報等が多重化されたストリーム信号からなる。チューナ２は、アンテナ１が受信した放送信号から、リモコン２００で選局されたチャンネルに対応する放送信号を抽出する。抽出された放送信号は、信号処理部３に入力される。信号処理部３は、放送信号から映像ストリーム・音声ストリーム・データストリーム等を分離し、映像データと音声データに対してデコードや信号変換等の処理を行い、再生用の映像信号と音声信号を生成する。映像出力部４は、信号処理部３で生成された映像信号に対し、画像サイズ変換や画質調整等の処理を行って、当該信号をモニタ５へ出力する。モニタ５は、例えばＬＣＤ（液晶ディスプレイ）から構成され、映像出力部４から出力される映像信号に基づいて映像を表示する。音声出力部６は、信号処理部３で生成された音声信号に対し増幅等の処理を行って、当該信号をスピーカ７へ出力する。スピーカ７は、音声出力部６から出力される音声信号に基づいて音声を出力する。
【００２２】
マイクロコンピュータ（以下、「マイコン」という）８は、ＣＰＵから構成され、テレビ１００の動作を制御する。また、マイコン８は、信号処理部３で検出されたレーティング情報に基づいて、後述の視聴制限を実行する。リモコン受信部９は、リモコン２００から送信される信号を受信する。操作部１０は、テレビ１００の本体に設けられたスイッチやボタンからなる。記憶部１１は、ＲＯＭやＲＡＭ等のメモリから構成され、自動視聴制限データ２０と通常視聴制限データ３０とが記憶される領域を有している。電源部１２は、テレビ１００の各部に電源を供給する。インターフェース１３は、ＤＶＤレコーダやハードディスクレコーダのような外部機器を接続するためのコネクタを備えている。
【００２３】
以上において、マイコン８は本発明における制御手段の一実施形態を構成し、記憶部１１は本発明における記憶手段の一実施形態を構成する。
【００２４】
図２は、リモコン２００の操作面を示した図である。メニューボタン２０１は、テレビ１００のモニタ５にメニュー画面を表示させるためのボタンである。１〜１２の数字ボタン２０２は、チャンネルの選局やデータの入力を行うためのボタンである。カーソルボタン２０３は、画面上でカーソルを移動させて所定の項目を選択するためのボタンである。決定ボタン２０４は、カーソルボタン２０３で選択された項目を確定するためのボタンである。音量ボタン２０５は、スピーカ７から出力される音量を増減させるためのボタンである。チャンネルボタン２０６は、選局時にチャンネルを進めたり戻したりするためのボタンである。機能ボタン２０７は、その他の各種機能が割り当てられたボタンである。リモコン２００には、これら以外にも各種のボタンが設けられているが、本発明には直接関係しないことから、他のボタンに関する説明は省略する。
【００２５】
次に、上述したテレビ１００における視聴制限の設定につき、図３〜図８を参照しながら説明する。
【００２６】
最初に、リモコン２００のメニューボタン２０１（図２）を押すと、モニタ５に、図３に示すようなメニュー画面５ａが表示される。次に、カーソルボタン２０３を操作し、メニュー画面５ａにおいて、カーソルＫで「機器設定」を選択し、決定ボタン２０４を押すと、モニタ５の画面は、図４に示すような機器設定画面５ｂに切り換わる。
【００２７】
機器設定画面５ｂにおいて、カーソルボタン２０３の操作により、カーソルＫで「視聴制限」を選択し、決定ボタン２０４を押すと、モニタ５の画面は、図５に示すような暗証番号入力画面５ｃに切り換わる。数字ボタン２０２により、暗証番号入力欄Ａに正しい暗証番号を入力した後、決定ボタン２０４を押すと、モニタ５の画面は、図６に示すような視聴制限設定画面５ｄに切り換わる。この視聴制限設定画面５ｄは、リモコン２００とともに、本発明における選択手段の一実施形態を構成する。
【００２８】
視聴制限設定画面５ｄにおいて、カーソルボタン２０３の操作により、カーソルＫで「自動視聴制限機能」の「ＯＮ」を選択し、決定ボタン２０４を押すと、モニタ５の画面は、図７に示すような年齢入力画面５ｅに切り換わる。この年齢入力画面５ｅは、リモコン２００とともに、本発明における入力手段の一実施形態を構成する。数字ボタン２０２により、年齢入力欄Ｂに視聴者全員の年齢を入力した後、決定ボタン２０４を押すと、自動視聴制限の設定が終了する。
【００２９】
このとき、記憶部１１には、図８に示すような自動視聴制限データ２０が記憶される。視聴制限フラグは、視聴を許可するか禁止するかを表す情報であり、「０」は許可、「１」は禁止を表している。ここでは、入力された年齢のうち、最低年齢である６才にフラグ「１」が設定されている。これによって、テレビ１００では自動的に、６才を基準とする視聴制限が行われる。
【００３０】
一方、図６の視聴制限設定画面５ｄにおいて、カーソルＫで「自動視聴制限機能」の「ＯＦＦ」を選択し、決定ボタン２０４を押すと、モニタ５の画面は、図１８に示した通常の視聴制限条件入力画面５ｇに切り換わる。この画面では、従来と同じ要領でレーティングの設定が行われる。設定されたデータは、通常視聴制限データ３０（図１）として、記憶部１１に記憶される。
【００３１】
次に、自動視聴制限の変更につき、図９〜図１２を参照しながら説明する。図９のように、視聴制限設定画面５ｄ（図６と同じ）において、カーソルＫで「基準年齢変更」を選択し、決定ボタン２０４を押すと、モニタ５の画面は、図１０に示した基準年齢変更画面５ｆに切り換わる。視聴制限設定画面５ｄおよび基準年齢変更画面５ｆは、リモコン２００とともに、本発明における変更手段の一実施形態を構成する。基準年齢変更画面５ｆの初期状態においては、図８の自動視聴制限データ２０に基づき、視聴制限フラグ「１」が設定されている６才の年齢欄にカーソルＫが位置している。視聴制限の基準年齢を変更するには、図１１に示すように、カーソルＫを所望の年齢欄（ここでは１４才）へ移動させ、決定ボタン２０４を押す。すると、図１２に示すように、１４才のフラグが「０」から「１」に書き換えられ、６才のフラグが「１」から「０」に書き換えられて、自動視聴制限データ２０が更新される。したがって、以降は、１４才を基準とする自動視聴制限が行われる。
【００３２】
図１３は、前述した自動視聴制限設定の手順を示したフローチャートである。ステップＳ１において、図３のメニュー画面５ａで「機器設定」を選択する。（なお、図１３〜図１５を通じて「選択」とは、リモコン２００の決定ボタン２０４が押されて選択が確定したことを指す。）ステップＳ２では、図４の機器設定画面５ｂで「視聴制限」を選択する。そして、ステップＳ３において、図５の暗証番号入力画面５ｃで暗証番号を入力する。次に、ステップＳ４において、図６の視聴制限設定画面５ｄで自動視聴制限機能をＯＮに設定する。続いて、ステップＳ５において、図７の年齢入力画面５ｅで視聴者の年齢を入力する。最後に、ステップＳ６において、図８の自動視聴制限データ２０が記憶部１１に保存される。
【００３３】
図１４は、前述した自動視聴制限変更の手順を示したフローチャートである。ステップＳ１１において、図３のメニュー画面５ａで「機器設定」を選択する。ステップＳ１２では、図４の機器設定画面５ｂで「視聴制限」を選択する。そして、ステップＳ１３において、図５の暗証番号入力画面５ｃで暗証番号を入力する。ここまでは、図１３のステップＳ１〜Ｓ３の手順と同じである。次に、ステップＳ１４において、図９の視聴制限設定画面５ｄで「基準年齢変更」を選択する。続いて、ステップＳ１５において、図１０の基準年齢変更画面５ｆで基準年齢を選択すると、ステップＳ１６において、記憶部１１に保存されている自動視聴制限データ２０が、図１２のように更新される。
【００３４】
図１５は、前述した通常視聴制限設定の手順を示したフローチャートである。ステップＳ２１において、図３のメニュー画面５ａで「機器設定」を選択する。ステップＳ２２では、図４の機器設定画面５ｂで「視聴制限」を選択する。そして、ステップＳ２３において、図５の暗証番号入力画面５ｃで暗証番号を入力する。ここまでは、図１３のステップＳ１〜Ｓ３の手順と同じである。次に、ステップＳ２４において、図６の視聴制限設定画面５ｄで自動視聴制限機能をＯＦＦに設定する。続くステップＳ２５では、図１８の視聴制限条件入力画面５ｇにおいて、従来と同じ要領で、視聴制限条件の入力（レーティング設定）を行う。入力が終わると、ステップＳ２６において、通常視聴制限データ３０が記憶部１１に保存される。
【００３５】
図１６は、番組再生時における視聴制限の手順を示したフローチャートである。本フローチャートにおける各ステップは、マイコン８によって実行される。ステップＳ３１では、視聴制限の設定がされているか否かを判定する。視聴制限が設定されていない場合、すなわち、自動視聴制限（図１３）と通常視聴制限（図１５）のいずれもが設定されていない場合は（ステップＳ３１：ＮＯ）、ステップＳ３７へ移行して、視聴制限を行わずに全ての番組の映像と音声を出力する。一方、視聴制限が設定されている場合、すなわち、自動視聴制限と通常視聴制限のいずれかが設定済である場合は（ステップＳ３１：ＹＥＳ）、ステップＳ３２へ移行する。
【００３６】
ステップＳ３２では、自動視聴制限機能（図６）がＯＮに設定されているか否か、すなわち、自動視聴制限と通常視聴制限のいずれが選択されているかを判定する。通常視聴制限が選択されている場合は（ステップＳ３２：ＮＯ）、ステップＳ３９へ移行して、記憶部１１に記憶されている通常視聴制限データ３０を参照する。そして、ステップＳ４０において、通常視聴制限データ３０が示す複数の視聴制限条件、すなわち図１８の画面で設定された条件に基づいて、通常の視聴制限を実行する。具体的には、信号処理部３で放送信号から抽出されたレーティング情報と、記憶部１１に記憶されている通常視聴制限データ３０とを比較し、視聴制限条件が一致すれば、信号処理部３において映像信号と音声信号に対してミュート処理を行い、映像と音声が出力されないようにする。
【００３７】
一方、自動視聴制限が選択されている場合は（ステップＳ３２：ＹＥＳ）、ステップＳ３３へ移行して、記憶部１１に記憶されている自動視聴制限データ２０を参照する。そして、ステップＳ３４〜Ｓ３６において、自動視聴制限データ２０に含まれる年齢から最低年齢を抽出し、最低年齢が１８才未満であれば（ステップＳ３４〜Ｓ３６：ＹＥＳ）、ステップＳ３８において、最低年齢に基づく視聴制限を実行する。具体的には、信号処理部３で放送信号から抽出されたレーティング情報と、記憶部１１に記憶されている自動視聴制限データ２０に含まれる最低年齢とを比較し、最低年齢がレーティング情報における視聴制限条件を満たしているときは、信号処理部３において映像信号と音声信号に対してミュート処理を行い、映像と音声が出力されないようにする。なお、基準年齢が最低年齢から他の年齢に変更された場合は、ステップＳ３４〜Ｓ３６の判定は変更後の年齢に対して行われ、ステップＳ３８の視聴制限は、変更後の年齢を基準として行われる。
【００３８】
また、ステップＳ３４〜Ｓ３６において、最低年齢が１８才以上であれば（ステップＳ３４〜Ｓ３６：ＮＯ）、ステップＳ３７へ移行して、視聴制限を行わずに全ての番組の映像と音声を出力する。この場合は、自動視聴制限機能がＯＮに設定されていても、番組の視聴が可能となる。
【００３９】
以上述べたように、上記実施形態によれば、通常の視聴制限機能に自動視聴制限機能を付加したので、図６の画面において自動視聴制限機能をＯＮに設定した場合は、最低年齢を基準として視聴制限が行われる。このため、細かい条件設定を必要としないユーザにとっては、単に年齢を入力するだけでよく、図１８の画面で煩雑な設定を行う必要がないので、視聴制限設定の手間と時間を省くことができる。また、図６の画面において自動視聴制限機能をＯＦＦに設定した場合は、自動視聴制限が働かず、通常の視聴制限が行われるので、図１８の画面で細かい条件設定を行うことを希望するユーザの要求を満たすことができる。
【００４０】
また、上記実施形態によれば、図９〜図１２のように、自動視聴制限の基準年齢を、最低年齢から他の年齢に変更できるようにしたので、視聴制限機能に拡張性を持たせて、ユーザの利便性を向上させることができる。
【００４１】
また、上記実施形態によれば、自動視聴制限の基準となる年齢が一定年齢以上である場合は、視聴制限を行わないようにしたので、自動視聴制限が設定されていても、最低年齢（あるいは変更後の年齢）が例えば１８才以上である場合は、視聴制限がかからず番組の視聴が可能となる。
【００４２】
本発明では、以上述べた以外にも種々の実施形態を採用することができる。例えば、上記実施形態では、図６の視聴制限設定画面５ｄにおいて、自動視聴制限機能のＯＮ／ＯＦＦを選択するようにしたが、自動視聴制限と通常視聴制限のボタンをそれぞれ表示して、いずれかを直接選択できるようにしたもよい。
【００４３】
また、上記実施形態では、図７の年齢入力画面５ｅにおいて、年齢情報として年齢を直接入力するようにしたが、図１７に示すように、生年月日入力画面５ｅ’を表示し、年齢情報として生年月日を入力するようにしてもよい。
【００４４】
また、図１８では、米国における視聴制限条件の設定を例に挙げたが、他の国における視聴制限条件の設定を採用してもよい。
【００４５】
さらに、上記実施形態では、映像機器としてテレビを例に挙げたが、本発明はテレビに限らず、ＢＤやＤＶＤ等のディスクを再生するディスク装置、パーソナルコンピュータ、携帯端末等の各種映像機器に適用が可能である。
【符号の説明】
【００４６】
１    アンテナ
２    チューナ
３    信号処理部
４    映像出力部
５    モニタ
５ｄ  視聴制限設定画面
５ｅ  年齢入力画面
５ｆ  基準年齢変更画面
５ｇ  視聴制限条件入力画面
６    音声出力部
７    スピーカ
８    マイクロコンピュータ
１１  記憶部
２０  自動視聴制限データ
３０  通常視聴制限データ
１００  テレビジョン受像機
２００  リモコン
【図１】
2010187202.tif 000003
【図２】
2010187202.tif 000004
【図３】
2010187202.tif 000005
【図４】
2010187202.tif 000006
【図５】
2010187202.tif 000007
【図６】
2010187202.tif 000008
【図７】
2010187202.tif 000009
【図８】
2010187202.tif 000010
【図９】
2010187202.tif 000011
【図１０】
2010187202.tif 000012
【図１１】
2010187202.tif 000013
【図１２】
2010187202.tif 000014
【図１３】
2010187202.tif 000015
【図１４】
2010187202.tif 000016
【図１５】
2010187202.tif 000017
【図１６】
2010187202.tif 000018
【図１７】
2010187202.tif 000019
【図１８】
2010187202.tif 000020